(57)【要約】【課題】双方向通信を開始するために使用するペアリング情報の情報量が、規格で定められたビーコンのデータ構造によって決まる１回で送信可能な情報量よりも多い場合でも、双方向通信を開始することができるようにする。【解決手段】情報発信装置１００の生成部１１１は、携帯端末と自装置との間で双方向通信を開始するための通信開始情報を、データ構造の仕様に応じて複数分割して生成する。発信部１１２は、生成部１１１が複数分割して生成した通信開始情報を発信する。ペアリング要求受信部１１３は、発信部１１２が発信した通信開始情報に応じて、携帯端末から送信される通信開始要求信号を受信する。ペアリング部１１４は、ペアリング要求受信部１１３が受信した通信開始要求信号と自装置が送信した通信開始情報とが対応する場合に、携帯端末との間で通信を開始する。【選択図】図２
2017005705.tif 000002
【特許請求の範囲】
【請求項１】
携帯端末と自装置との間で双方向通信を開始するための通信開始情報を、データ構造の仕様に応じて複数分割して生成する生成手段と、
前記生成手段が複数分割して生成した前記通信開始情報を発信する発信手段と、
前記発信手段が発信した前記通信開始情報に応じて、前記携帯端末から送信される通信開始要求信号を受信する受信手段と、
前記受信手段が受信した前記通信開始要求信号と自装置から送信した前記通信開始情報とが対応する場合に、前記携帯端末との間で通信を開始する通信開始手段と、
を備えたことを特徴とする情報発信装置。
【請求項２】
前記生成手段は、前記通信開始情報として、自装置を一意に識別するアドレスを、前記データ構造の仕様に応じて複数分割して生成する、
ことを特徴とする請求項１に記載の情報発信装置。
【請求項３】
前記生成手段は、前記通信開始情報に加えて、広告コンテンツを取得するための広告情報を生成し、
前記発信手段は、前記通信開始情報と、前記広告情報と、を発信する、
ことを特徴とする請求項１又は２に記載の情報発信装置。
【請求項４】
前記発信手段は、前記通信開始情報を、Bluetooth（登録商標）Low Energyによる電波又はスピーカによる超音波により発信する、
ことを特徴とする請求項１乃至３の何れか一項に記載の情報発信装置。
【請求項５】
前記通信開始手段は、前記通信開始要求信号に対する応答として、相互認証用の認証番号を含む通信開始応答信号を前記携帯端末に送信し、該携帯端末との間で該認証番号による相互認証を行って通信を開始する、
ことを特徴とする請求項１乃至４の何れか一項に記載の情報発信装置。
【請求項６】
Bluetoothによる近距離無線通信又は無線ＬＡＮによる無線通信を行う無線通信手段を備え、
前記通信開始手段は、前記無線通信手段を制御して、前記携帯端末と双方向通信を開始する、
ことを特徴とする請求項１乃至５の何れか一項に記載の情報発信装置。
【請求項７】
前記携帯端末から受信した、前記通信開始情報に含まれるコンテンツが格納されているサーバのアドレス情報に基づいて、前記サーバからコンテンツを取得するネットワーク通信手段を備え、
前記通信開始手段は、前記無線通信手段を制御して、前記ネットワーク通信手段が前記サーバから取得したコンテンツを、前記携帯端末に転送させる、
ことを特徴とする請求項６に記載の情報発信装置。
【請求項８】
前記発信手段は、前記無線通信手段の通信容量よりも小さい通信容量の通信モジュールで構成される、
ことを特徴とする請求項６又は７に記載の情報発信装置。
【請求項９】
前記発信手段は、前記無線通信手段の通信距離よりも通信距離が近距離である通信モジュールで構成される、
ことを特徴とする請求項６又は７に記載の情報発信装置。
【請求項１０】
前記情報発信装置は、表示手段に広告コンテンツを出力するサイネージ装置である、
ことを特徴とする請求項１乃至９の何れか一項に記載の情報発信装置。
【請求項１１】
携帯端末と無線ＬＡＮで通信する機能を有する無線通信手段と、
前記携帯端末が前記無線通信手段との通信を開始するための通信開始情報と、コンテンツが格納されているサーバのアドレス情報と、を前記携帯端末に送信する発信手段と、
前記発信手段が発信した前記通信開始情報に応じて、前記携帯端末から送信される通信開始要求信号を受信する受信手段と、
前記受信手段が受信した前記通信開始要求信号と自装置から送信した前記通信開始情報とが対応する場合に、前記携帯端末との間で通信を開始する通信開始手段と、
コンテンツが格納されているサーバからコンテンツを取得するネットワーク通信手段と、
を備え、
前記通信開始手段は、前記無線通信手段を制御して、前記ネットワーク通信手段が前記サーバから取得したコンテンツを、前記携帯端末に転送させる、
ことを特徴とする情報発信装置。
【請求項１２】
携帯端末との間で双方向通信を開始するための通信開始情報を、データ構造の仕様に応じて複数分割して生成する生成ステップと、
前記生成ステップにおいて複数分割して生成した前記通信開始情報を発信する発信ステップと、
前記発信ステップにおいて発信した前記通信開始情報に応じて、前記携帯端末から送信される通信開始要求信号を受信する受信ステップと、
前記受信ステップで受信した前記通信開始要求信号と自装置から送信した前記通信開始情報とが対応する場合に、前記携帯端末との間で通信を開始する通信開始ステップと、
を含む情報発信方法。
【請求項１３】
携帯端末と自装置との無線ＬＡＮ通信を開始するための通信開始情報と、コンテンツが格納されているサーバのアドレス情報と、を送信する送信ステップと、
前記携帯端末から送信される自装置が送信した前記通信開始情報を含む通信開始要求信号を受信する受信ステップと、
前記携帯端末と自装置との無線ＬＡＮ通信の接続を許可する接続許可ステップと、
前記携帯端末からコンテンツが格納されているサーバのアドレス情報を受信するサーバ接続要求受信ステップと、
前記サーバにアクセスしてコンテンツを取得する取得ステップと、
取得した前記コンテンツを、前記通信開始情報を送信した前記携帯端末に無線ＬＡＮで送信する転送ステップと、
を含む情報発信方法。
【請求項１４】
コンピュータを、
携帯端末との間で双方向通信を開始するための通信開始情報を、データ構造の仕様に応じて複数分割して生成する生成手段、
前記生成手段が複数分割して生成した前記通信開始情報を発信する発信手段、
前記発信手段が発信した前記通信開始情報に応じて、前記携帯端末から送信される通信開始要求信号を受信する受信手段、
前記受信手段が受信した前記通信開始要求信号と自装置から送信した前記通信開始情報とが対応する場合に、前記携帯端末との間で通信を開始する通信開始手段、
として機能させるためのプログラム。
【請求項１５】
情報発信装置が発信した、データ構造の仕様に応じて複数分割された該情報発信装置との間で双方向通信を開始するための通信開始情報を受信する通信開始情報受信手段と、
前記通信開始情報受信手段が前記通信開始情報を受信したことに応じて、前記情報発信装置に通信開始要求信号を送信する送信手段と、
を備えたことを特徴とする携帯端末。
【請求項１６】
情報発信装置と自装置とを無線ＬＡＮで通信する機能を有する無線通信手段と、
前記情報発信装置との無線ＬＡＮ通信を開始するための通信開始情報を前記情報発信装置から取得する通信開始情報受信手段と、
前記通信開始情報に基づいて、前記情報発信装置と自装置との無線ＬＡＮ通信を確立する通信開始要求手段と、
前記無線通信手段を制御し、前記情報発信装置を介して、コンテンツが格納されているサーバからコンテンツを取得するコンテンツ取得手段と、
を備える携帯端末。
【発明の詳細な説明】
【技術分野】
【０００１】
本発明は、情報発信装置、情報発信方法、プログラム及び携帯端末に関する。
【背景技術】
【０００２】
従来から、Bluetooth（登録商標）によって双方向の近距離無線通信が行われている。例えば、特許文献１には、Bluetoothによる双方向通信を開始するために、ＮＦＣ（Near Field Communication）用通信モジュールである非接触ＩＣ（Integrated Circuit）モジュールを利用して、Bluetoothのペアリング（通信開始）に必要な情報を交換する技術が開示されている。
【０００３】
また、近時、Bluetooth Low Energy（ＢＬＥ）の規格で規定されているビーコンパケットを利用して、広告情報を携帯端末などにプッシュ型で提供するサービスも知られている。
【先行技術文献】
【特許文献】
【０００４】
【特許文献１】特開２００９−６０５２６号公報
【発明の概要】
【発明が解決しようとする課題】
【０００５】
ところで、一般的に、ビーコンはプッシュ通知に特化しており、通知した相手端末との双方向通信は想定していない。このため、サイネージ装置などの情報発信装置がビーコン機能のみを備えている場合は、通信相手である携帯端末との間で双方向通信を行うことはできない。
【０００６】
仮に双方向通信機能を備えても、双方向通信を開始するために必要な情報は、規格で定められたビーコンのデータ構造によって決まる送信可能な情報量よりも多く、一回のビーコン送信では双方向通信を開始することができないという問題がある。
【０００７】
本発明は、上記問題に鑑みてなされたものであって、双方向通信を開始するために使用するペアリング情報の情報量が、規格で定められたビーコンのデータ構造によって決まる１回で送信可能な情報量よりも多い場合でも、双方向通信を開始することが可能な情報発信装置、情報発信方法、プログラム及び携帯端末を提供することを目的とする。
【課題を解決するための手段】
【０００８】
上記目的を達成するため、本発明の第１の観点に係る情報発信装置は、
携帯端末と自装置との間で双方向通信を開始するための通信開始情報を、データ構造の仕様に応じて複数分割して生成する生成手段と、
前記生成手段が複数分割して生成した前記通信開始情報を発信する発信手段と、
前記発信手段が発信した前記通信開始情報に応じて、前記携帯端末から送信される通信開始要求信号を受信する受信手段と、
前記受信手段が受信した前記通信開始要求信号と自装置から送信した前記通信開始情報とが対応する場合に、前記携帯端末との間で通信を開始する通信開始手段と、
を備えたことを特徴とする。
【０００９】
上記目的を達成するため、本発明の第２の観点に係る携帯端末は、
情報発信装置が発信した、データ構造の仕様に応じて複数分割された該情報発信装置との間で双方向通信を開始するための通信開始情報を受信する通信開始情報受信手段と、
前記通信開始情報受信手段が前記通信開始情報を受信したことに応じて、前記情報発信装置に通信開始要求信号を送信する送信手段と、
を備えたことを特徴とする。
【発明の効果】
【００１０】
本発明によれば、双方向通信を開始するために使用するペアリング情報の情報量が、規格で定められたビーコンのデータ構造によって決まる１回で送信可能な情報量よりも多い場合でも、双方向通信を開始することができる。
【図面の簡単な説明】
【００１１】
【図１】実施形態１に係る情報発信システムの構成例を示す図である。
【図２】実施形態１に係る情報発信装置の構成を示すブロック図である。
【図３】情報発信装置が発信する発信情報の例を示す図である。
【図４】情報発信装置の発信情報の切替間隔の例を示す図である。
【図５】実施形態１に係る携帯端末の構成を示すブロック図である。
【図６】情報発信装置の発信処理のフローチャートを示す図である。
【図７】情報発信装置のペアリング処理のフローチャートを示す図である。
【図８】携帯端末のペアリング処理のフローチャートを示す図である。
【図９】情報発信装置と携帯端末との間のペアリングに係るシーケンスを示す図である。
【図１０】変形例１における情報発信装置と携帯端末との間のペアリングに係るシーケンスを示す図である。
【図１１】実施形態２に係る情報発信システムの構成例を示す図である。
【図１２】実施形態２に係る情報発信装置の構成を示すブロック図である。
【図１３】情報発信装置が発信する発信情報のパケット構成例を示す図である。
【図１４】実施形態２に係る携帯端末の構成を示すブロック図である。
【図１５】ペアリング情報の送信処理のフローチャートを示す図である。
【図１６】無線ＬＡＮ接続処理のフローチャートを示す図である。
【図１７】コンテンツ取得処理のフローチャートを示す図である。
【図１８】実施形態２における情報発信装置の無線ＬＡＮアクセスポイント機能に係るシーケンスを示す図である。
【発明を実施するための形態】
【００１２】
（実施形態１）
以下、本発明の実施形態について図面を参照して説明する。図１は、本発明の実施形態１に係る情報発信システムの構成例を示す図である。
【００１３】
情報発信システム１０は、情報発信装置１００と、携帯端末２００と、を備える。情報発信装置１００は、店頭などに設置され、広告コンテンツ（例えば、店舗や商品に関するコンテンツ）を表示部１２に出力するサイネージ装置（いわゆる電子看板）である。また、情報発信装置１００は、広告コンテンツの表示と同時に音声案内を行うためのスピーカ１３と、広告コンテンツ切替用の操作部１４と、を備える。
【００１４】
また、情報発信装置１００は、通信機能として、（ｉ）ビーコンモジュールによる単方向の発信機能と（ｉｉ）Bluetoothによる双方向の通信機能とを備える。ビーコンモジュールによる発信機能は、ＢＬＥ（Bluetooth Low Energy）規格に基づく近距離無線通信用の２．４ＧＨｚ帯の電波を用いる。なお、ＢＬＥは、近距離無線通信規格であるBluetoothにおいて、低消費電力を目的として策定された規格（モード）である。また、上記（ｉ）及び（ｉｉ）の通信機能の詳細については後述する。
【００１５】
一方、携帯端末２００は、スマートフォンであって、情報発信装置１００から発信される発信情報の受信をトリガとしたイベント処理を行う。例えば、携帯端末２００は、発信情報の広告情報に含まれるコンテンツ配信サーバ３００のアドレスにアクセスして、４Ｇ等の公衆無線電話回線やＷｉＦｉ（登録商標）の通信回線を介して、広告コンテンツを取得する。
【００１６】
なお、ユーザは、イベント処理を行うためのアプリケーション用プログラムを事前に携帯端末２００にインストールしておく。これにより、携帯端末２００を携帯するユーザが情報発信装置１００のセル範囲に入ると、イベント処理は携帯端末２００のバックグラウンドで自動処理されることになる。なお、セル範囲とは、ＢＬＥの電波が届くカバレッジ範囲をいう。
【００１７】
以上、この実施形態における情報発信システム１０の各装置（情報発信装置１００、携帯端末２００）について概観した。この実施形態において、一つの特徴的な点は、情報発信装置１００と携帯端末２００との間で上記（ｉｉ）のBluetoothによる双方向通信を開始するために必要なペアリングを、上記（ｉ）の発信機能を利用して行う点である。以下では、情報発信システム１０を構成する各装置につき順に説明をする。
【００１８】
図２に示すように、情報発信装置１００は、制御部１１、表示部１２、スピーカ１３、操作部１４、記憶部１５、近距離無線通信部１６、無線通信部１７を備える。
【００１９】
制御部１１は、ＣＰＵ（Central Processing Unit）、ＲＯＭ（Read Only Memory)、ＲＡＭ（Random Access Memory）などによって構成される。制御部１１は、ＲＯＭに記憶されたプログラム（例えば、後述する発信処理やペアリング処理に係るプログラム）を実行することにより、各部（生成部１１１、発信部１１２、ペアリング要求受信部１１３、ペアリング部１１４）の機能を実現する。
【００２０】
表示部１２は、例えば、ＬＣＤ（Liquid Crystal Display）、ＥＬ（Electroluminescence）ディスプレイ、プロジェクタ用スクリーンなどによって構成され、広告コンテンツを出力する。スピーカ１３は、音声を外部出力する音声出力部である。例えば、コンテンツが音声付き動画であれば、その動画の音声を可聴音として外部出力する。操作部１４は、表示部１２を支持する支持台の前面に４つ設けられ、ユーザに操作されるボタンである。ユーザは、この操作部１４により、例えば、コンテンツの切り替え、コンテンツのダウンロード開始又は停止などを情報発信装置１００に指示する。
【００２１】
記憶部１５は、ＨＤＤ（Hard Disk Drive）などの不揮発性メモリである。この記憶部１５は、表示部１２に出力する様々なコンテンツを記憶する。なお、表示部１２に表示するコンテンツは、４ＧやＷｉＦｉなどを利用した無線通信によってコンテンツ配信サーバ３００から取得して記憶してもよい。
【００２２】
近距離無線通信部１６は、Bluetoothに基づく近距離無線通信のための回路ブロック（ＢＬＥのＬＳＩ（Large Scale Integration））やアンテナなどから構成される。制御部１１は、近距離無線通信部１６に搭載したＢＬＥのビーコン機能を用いたプッシュ型通信、Bluetoothによる双方向通信を制御する。
【００２３】
無線通信部１７は、ＷｉＦｉや４Ｇに基づく無線通信のための回路ブロックやアンテナなどから構成される。制御部１１は、無線通信部１７を介して、ＷｉＦｉや４Ｇによる無線通信を外部装置（例えば、コンテンツ配信サーバ３００など）と行う。
【００２４】
次に、制御部１１の機能について説明する。まず、生成部１１１は、発信部１１２が発信する発信情報を生成する。この実施形態において、発信情報は、ＢＬＥのアドバタイズメントのパケットで送信される。このアドバタイズメントのパケットは、一般的に、自装置が保有するサービス概要などを知らしめるためにアドバタイズ（発信）されるものである。
【００２５】
ここで、生成部１１１は、パケットのうちヘッダ部分やトレーラ部分の付加的情報を除いたペイロード部分（データ本体）の情報を、発信情報として生成する。この実施形態において、ペイロード部分のデータ構造は、一例として、ＵＵＩＤ（Universally Unique Identifier）、Ｍａｊｏｒ、Ｍｉｎｏｒからなる。
【００２６】
ＵＵＩＤは、１２８ビットの識別子であって、例えば、広告のアドバタイズであれば法人などの組織単位で使用される。Ｍａｊｏｒは、１６ビット（２バイト）の識別子であって、例えば、広告のアドバタイズであれば大型施設（ショッピングモールなどの）単位で使用される。Ｍｉｎｏｒは、１６ビット（２バイト）の識別子であって、例えば、広告のアドバタイズであれば施設内の各店舗単位で使用される。
【００２７】
生成部１１１は、ＵＵＩＤ、Ｍａｊｏｒ、Ｍｉｎｏｒの各値を生成して、発信情報を生成する。ここで、図３に発信情報の例を示す。この実施形態では、発信情報として、広告情報とペアリング情報とがある。なお、ＵＵＩＤ、Ｍａｊｏｒ、Ｍｉｎｏｒは、１６進数で示される。
【００２８】
生成部１１１は、サイネージ装置に表示している広告の詳細広告情報が格納されているコンテンツ配信サーバ３００のアドレス情報を生成する。例えば、ＵＵＩＤ「D9B9EC1F-3925-43D0-80A9-1E39D4CEA95C」、Ｍａｊｏｒ「３」、Ｍｉｎｏｒ「１０」を生成する。これにより、Ｍａｊｏｒ「３」で識別される大型施設内において、Ｍｉｎｏｒ「１０」で識別される店舗の広告情報が格納されているコンテンツ配信サーバ３００のアドレスを特定することができる。
【００２９】
一方、ペアリング情報は、携帯端末２００と自装置（情報発信装置１００）との間でBluetoothによる双方向通信を開始するために使用するＭＡＣアドレス（Bluetooth Deviceアドレスともいう）である。このＭＡＣアドレスは、ビーコンモジュールを備える近距離無線通信部１６を一意に識別するアドレスである。このビーコンモジュールは情報発信装置１００と一対一で紐付いているので、ＭＡＣアドレスは情報発信装置１００を一意に識別するアドレスとも実質的にいえる。
【００３０】
このＭＡＣアドレスは、例えば、22:22:8A:E2:70:D1などの１６進数６バイトで示される。このため、それぞれ２バイトであるＭａｊｏｒ、ＭｉｎｏｒではＭａｃアドレス全てを格納することができない。そこで、生成部１１１は、ＭＡＣアドレス６バイトを３分割して２バイトずつ（Ｍａｊｏｒ「2222」、Ｍｉｎｏｒ「8AE2」、Ｍａｊｏｒ「70D1」）生成する。そして、図３に示すように、最初の２バイトをＭＡＣアドレス１のＭａｊｏｒに格納し、次の２バイトをＭＡＣアドレス１のＭｉｎｏｒに格納する。次の２バイトは、ＭＡＣアドレス２のＭａｊｏｒに格納する。そして、残ったＭＡＣアドレス２のＭｉｎｏｒには「０」を格納している。このように、生成部１１１は、ＭＡＣアドレスを、データ構造の仕様（この実施形態においては、Ｍａｊｏｒ、Ｍｉｎｏｒがそれぞれ２バイト）に応じて、複数に分割するようにしている。
【００３１】
なお、データ構造の仕様に制約がなければ、生成部１１１は、６バイトのＭＡＣアドレスを生成すればよい。また、広告情報、ペアリング情報（ＭＡＣアドレス１）、ペアリング情報（ＭＡＣアドレス２）それぞれのＵＵＩＤの値は、語尾が「Ｃ」、「Ｄ」、「Ｅ」と異なるだけでそれ以外は値が同一であるとしたので、以下ではそれぞれのＵＵＩＤを単に「Ｃ」、「Ｄ」、「Ｅ」と称して説明する。
【００３２】
さて、図２に戻って、発信部１１２は、生成された発信情報（広告情報とペアリング情報）を発信する。この発信部１１２は、ＢＬＥのビーコン機能によって単方向で広告情報とペアリング情報を交互に発信する。
【００３３】
ここで、図４に発信情報（広告情報とペアリング情報）の切替間隔を示す。この実施形態では、一例として、広告情報とペアリング情報（ペアリング情報が複数分割されたＭＡＣアドレス１とＭＡＣアドレス２）とを５秒間隔で交互に切り替えて発信する。つまり、発信部１１２は、広告情報を５秒間所定間隔（例えば、０．１秒間隔）で発信した後、ペアリング情報（ＭＡＣアドレス１）を５秒間所定間隔で発信する。なお、切り替えのタイミングや発信間隔（この実施形態では、５秒毎に切り替えて、０．１秒間隔で発信する）は、適宜変えてもよいことはもちろんである。
【００３４】
ここで、ユーザが広告情報発信中に情報発信装置１００が設置された店舗付近をすれ違った（セル範囲内に入った）とする。すると、携帯端末２００が広告情報を受信して、バックグラウンドでコンテンツ配信サーバ３００に問い合わせて、その店舗の広告コンテンツ（店舗・商品情報やクーポンなど）を端末画面に表示する。これにより、ユーザの購買意欲を刺激して店舗への入店を促すことができる。
【００３５】
一方で、ユーザがペアリング情報（ＭＡＣアドレス１、ＭＡＣアドレス２）発信中に情報発信装置１００が設置された店舗付近をすれ違った（セル範囲内に入った）とする。すると、携帯端末２００がペアリング情報を受信して、バックグラウンドでペアリング処理を自動で行う。この処理については、後述する。
【００３６】
さて、図２に戻って、ペアリング要求受信部１１３は、発信部１１２が発信したペアリング情報に応じて、携帯端末２００から送信されるペアリング要求信号を受信する。具体的には、ペアリング要求受信部１１３は、発信されたＭＡＣアドレスに応じて、携帯端末２００から送信されるペアリング要求信号を受信する。
【００３７】
次に、ペアリング部１１４は、ペアリング要求受信部１１３が受信したペアリング要求信号に応じて、携帯端末２００との間でペアリングする。このペアリングの具体的な手順については後述する。ペアリング部１１４は、携帯端末との間で通信を開始する通信開始手段を構成する。
【００３８】
次に、図５を参照しながらスマートフォンである携帯端末２００の構成について説明する。携帯端末２００は、図中に示すように、制御部２１、表示部２２、操作部２３、記憶部２４、マイク２５、近距離無線通信部２６、無線通信部２７を備える。
【００３９】
制御部２１は、ＣＰＵ、ＲＡＭなどによって構成される。制御部２１は、記憶部２４に記憶されたプログラム（例えば、後述するペアリング処理に係るプログラム）を実行することにより、各部（受信部２１１、コンテンツ取得部２１２、ペアリング要求送信部２１３）の機能を実現する。
【００４０】
表示部２２は、例えば、ＬＣＤ、ＥＬディスプレイなどによって構成される端末画面である。この表示部２２に、例えばコンテンツ配信サーバ３００から取得した広告コンテンツが表示される。操作部２３は、表示部２２の上面に配置され、ユーザの操作内容を入力するために用いられるタッチパネルや電源入力のためのボタンなどである。
【００４１】
記憶部２４は、スマートフォンにおける数Ｇバイトの内部ストレージであって、フラッシュメモリなどで構成される。この記憶部２４は、本システムのアプリケーション用プログラム、スマートフォンの各種アプリケーション用プログラム、撮影された写真・動画などを記憶する。この実施形態では、特に、情報発信装置１００から発信される発信情報を利用するためのアプリケーション用プログラムを記憶する。このプログラムは、事前にユーザがアプリケーション用プログラムを携帯端末２００にインストールしておくことで記憶部２４に記憶される。マイク２５は、外部音声を収音する音声入力部である。
【００４２】
近距離無線通信部２６は、Bluetoothに基づく近距離無線通信のための回路ブロックやアンテナなどから構成される。制御部２１は、近距離無線通信部２６を介して、ＢＬＥ規格に基づいて発信された発信情報の受信、Bluetoothによる双方向通信の制御を行う。
【００４３】
無線通信部２７は、ＷｉＦｉや４Ｇの規格に基づく無線通信のための回路ブロックやアンテナなどから構成される。制御部２１は、ＷｉＦｉや４Ｇの規格に基づく無線通信を外部装置（例えば、コンテンツ配信サーバ３００など）と行うように無線通信部２７を制御する。
【００４４】
次に、制御部２１の機能について説明する。まず、受信部２１１は、情報発信装置１００の発信部１１２が発信した発信情報を受信する。具体的には、受信部２１１は、ＢＬＥ規格に基づいて発信された広告情報とペアリング情報とを受信する。受信部２１１は、ペアリング情報であるＭＡＣアドレスが分割されている場合、分割して受信したＭＡＣアドレスを結合して、元のＭＡＣアドレスを復元する。なお、この復元のための復元手順は、アプリケーション用プログラムに含まれている。
【００４５】
なお、受信部２１１は、記憶部２４に記憶されたＵＵＩＤ「Ｃ」、「Ｄ」及び「Ｅ」を監視対象としてモニタリングしておく。受信した発信情報中のＵＵＩＤが異なる場合は、以下で説明するコンテンツ取得部２１２、ペアリング要求送信部２１３による処理は行われない。つまり、受信したＵＵＩＤと記憶するＵＵＩＤとが一致する場合に、それに応じたイベント処理として以下で説明するコンテンツ取得部２１２とペアリング要求送信部２１３とがそれぞれ機能する。
【００４６】
さて、コンテンツ取得部２１２は、広告情報に基づいて、広告コンテンツを取得する。具体的には、コンテンツ取得部２１２は、受信した広告情報（ＵＵＩＤ「Ｃ」、Ｍａｊｏｒ「３」、Ｍｉｎｏｒ「１０」）に対応する広告コンテンツを、コンテンツ配信サーバ３００から４ＧやＷｉＦｉの無線通信回線を利用して、無線通信により取得する。この取得された広告コンテンツは、表示部２２に表示される。なお、コンテンツ配信サーバ３００から取得するのは必須ではなく、予めインストールしておいたアプリケーション用プログラムに含まれている広告情報と対応するコンテンツを記憶部２４から読み出して、表示部２２に表示してもよい。
【００４７】
次に、ペアリング要求送信部２１３は、受信部２１１がペアリング情報を受信したことに応じて、情報発信装置１００にペアリング要求信号を送信する。この送信により、情報発信装置１００との間でペアリングを行う。このペアリングの具体的な手順については後述する。
【００４８】
以上、情報発信装置１００と携帯端末２００との構成を説明した。以下では、情報発信装置１００が行う発信処理とペアリング処理について順に説明する。
【００４９】
まず、発信処理について図６を参照しながら説明する。この発信処理は、情報発信装置１００において、ビーコンモジュールの発信機能がＯＮされたことを契機に開始される。発信機能は、情報発信装置１００の電源投入と同時に、あるいは設置者の指示などによりＯＮされる。
【００５０】
まず、発信部１１２は、広告情報を発信する（ステップＳ１０１）。具体的には、発信部１１２は、図３に示した例では、広告情報（ＵＵＩＤ「Ｃ」、Ｍａｊｏｒ「３」、Ｍｉｎｏｒ「１０」）を、ＢＬＥ規格に基づいて周囲に発信（アドバタイズ）する。
【００５１】
続いて、発信部１１２は、ペアリング情報を発信する（ステップＳ１０２）。具体的には、発信部１１２は、図３に示した分割したＭＡＣアドレスのペアリング情報（ＭＡＣアドレス１）を、広告情報の発信開始から５秒後に発信する。続いて、発信部１１２は、その発信から５秒後に、図３に示した分割したＭＡＣアドレス２のペアリング情報を発信する。このステップＳ１０２の後、ステップＳ１０１に戻る。
【００５２】
情報発信装置１００は、この発信処理による広告情報とペアリング情報の交互発信を、発信機能がＯＦＦされるまで５秒の切替間隔で反復実行する。
【００５３】
次に、情報発信装置１００側のペアリング処理について図７を参照しながら説明する。このペアリング処理は、近距離無線通信部１６に搭載したBluetoothの通信機能により行われる。まず、ペアリング処理は、図７に示すように、ペアリング要求受信部１１３が携帯端末２００からのペアリング要求信号を受信するまで待機しておき（ステップＳ２０１；Ｎｏ）、そのペアリング要求信号を受信したことを契機に（ステップＳ２０１；Ｙｅｓ）、開始される。
【００５４】
ここで、発信部１１２が発信したペアリング情報に応じて、携帯端末２００から送信されるペアリング要求信号をペアリング要求受信部１１３が受信すると（ステップＳ２０１；Ｙｅｓ）、ペアリング部１１４は、ペアリング応答信号を送信する（ステップＳ２０２）。具体的には、ペアリング部１１４は、受信したペアリング要求信号に対する応答として、相互認証用の認証番号（ピンコード）を含むペアリング応答信号を携帯端末２００に送信する。
【００５５】
次に、ペアリング部１１４は、携帯端末２００とペアリングをする（ステップＳ２０３）。具体的には、ペアリング部１１４は、携帯端末２００との間で共通の認証番号による相互認証を行って、ペアリングをする。
【００５６】
次に、制御部１１は、ペアリングの終了を報知する（ステップＳ２０４）。具体的には、制御部１１は、ペアリングが終了したことを、表示部１２に表示する、スピーカ１３で鳴らす、などして報知する。制御部１１は、例えば、表示部１２にペアリング済みの携帯端末２００のデバイス名を表示する等すればよい。ステップＳ２０４の後、ペアリング処理を終了する。
【００５７】
以上、情報発信装置１００が行う発信処理とペアリング処理について説明した。以下では、携帯端末２００が行うペアリング処理について図８を参照しながら説明する。この処理は、携帯端末２００を携帯するユーザが情報発信装置１００のセル範囲に入り、携帯端末２００が情報発信装置１００から送信された発信情報を受信したことを契機に開始される。また、以下では、ユーザが携帯端末２００にアプリケーション用プログラムをインストール済みであって、携帯端末２００が図３に示したＵＵＩＤ「Ｃ」、「Ｄ」及び「Ｅ」を記憶済みであることを前提に説明する。
【００５８】
まず、受信部２１１は、発信情報を受信したか否か判定する（ステップＳ３０１）。ここでは、受信部２１１は、情報発信装置１００からの発信情報を受信するまで待機する（ステップＳ３０１；Ｎｏ）。発信情報を受信すると（ステップＳ３０１：Ｙｅｓ）、受信部２１１は、発信情報が広告情報か否かを判定する（ステップＳ３０２）。ユーザがセル範囲に入るタイミングによって、発信情報として最初に広告情報を受信するか、ペアリング情報を受信するか、順序が異なるので、このステップＳ３０２の処理を行う。
【００５９】
ここで、発信情報が広告情報の場合（ステップＳ３０２；Ｙｅｓ）、コンテンツ取得部２１２は、広告情報に基づいて、広告コンテンツを取得する（ステップＳ３０３）。具体的には、コンテンツ取得部２１２は、広告情報に含まれるコンテンツ配信サーバ３００のアドレス情報（ＵＵＩＤ）に基づいてコンテンツ配信サーバ３００にアクセスし、Ｍａｊｏｒ「３」、Ｍｉｎｏｒ「１０」に対応する広告コンテンツを取得する。
【００６０】
一方、発信情報が広告情報ではない場合（ステップＳ３０２；Ｎｏ）、すなわち発信情報がペアリング情報の場合、受信部２１１は、分割して受信したアドレスから分割前のＭＡＣアドレスを復元する（ステップＳ３０４）。具体的には、受信部２１１は、３分割された分割アドレス「2222」、「8AE2」、「70D1」を結合して元のＭＡＣアドレスを復元する。
【００６１】
この復元は、復元手順に従うものとし、例えば、上記３分割後の分割アドレスであれば、図３に示すＵＵＩＤ「Ｄ」のＭａｊｏｒが１番目、Ｍｉｎｏｒが２番目、ＵＵＩＤ「Ｅ」のＭａｊｏｒが３番目といった具合に分割したアドレスの配置ルールを決めておく。そして、受信部２１１は、受信した３個に分割されたアドレスを配置ルールに従って、１番目から３番目の位置に並べて、分割前のＭＡＣアドレスを復元すればよい。このように決めておけば、最初にＭＡＣアドレス２である「70D1」、次に、ＭＡＣアドレス１である「2222」及び「8AE2」の順で受信した場合であっても、ＭＡＣアドレスを復元することができる。
【００６２】
次に、ペアリング要求送信部２１３は、ペアリング要求信号を送信する（ステップＳ３０５）。具体的には、ペアリング要求送信部２１３は、ペアリング情報を受信したことに応じて、情報発信装置１００にペアリング要求信号を送信する。
【００６３】
そのために、ペアリング要求送信部２１３は、ペアリング応答信号を受信したか否か判定する（ステップＳ３０６）。すなわち、ペアリング要求送信部２１３は、情報発信装置１００からペアリング応答信号を受信するまで待機する（ステップＳ３０６；Ｎｏ）。
【００６４】
ここで、ペアリング応答信号を受信すると（ステップＳ３０６；Ｙｅｓ）、ペアリング要求送信部２１３は、情報発信装置１００とペアリングをする（ステップＳ３０７）。具体的には、ペアリング要求送信部２１３は、ペアリング応答信号に含まれる認証番号により相互認証を行って、情報発信装置１００とペアリングする。
【００６５】
次に、制御部２１は、ペアリングの終了を報知する（ステップＳ３０８）。具体的には、制御部２１は、情報発信装置１００側と同様に、ペアリングが確立したことを、端末画面である表示部２２に表示等すればよい。ステップＳ３０３又はＳ３０８の後、処理を終了する。携帯端末２００は、このようにセル範囲において、発信情報に応じて、アプリケーション用プログラムにより規定された異なるイベント処理（広告コンテンツ取得又は自動ペアリング）を行う。
【００６６】
以上、携帯端末２００が行うペアリング処理について図８を参照しながら説明した。以下、図９を参照しながら情報発信装置１００と携帯端末２００との間のペアリングに係るシーケンスについて説明する。
【００６７】
まず、情報発信装置１００の発信部１１２は、広告情報とペアリング情報（ＭＡＣアドレス１とＭＡＣアドレス２）とを５秒間隔で切り替えて発信する。そして、携帯端末２００がセル範囲に入ると、上述した要領で、ペアリング要求送信部２１３は、ペアリング情報の受信に応じて、情報発信装置１００にペアリング要求信号を送信する。
【００６８】
続いて、情報発信装置１００のペアリング部１１４は、受信したペアリング要求信号に対する応答として、相互認証用の認証番号を含むペアリング応答信号を携帯端末２００に送信する。そして、携帯端末２００と情報発信装置１００は、共通の認証番号で相互認証を行ってペアリングを確立する。
【００６９】
なお、このペアリングを確立するまでの、ペアリング要求信号とペアリング応答信号の送信はBluetoothによる通信機能によって行われる。情報発信装置１００は、携帯端末２００とペアリングに係る処理を行っている間も、発信部１１２によってＢＬＥ規格に基づく広告情報とペアリング情報の発信を継続している。つまり、情報発信装置１００は、発信処理とペアリング処理を両立して同時に行う。これは、携帯端末２００以外の複数の携帯端末に対しても、広告情報のプッシュ通知と自動ペアリングを行うためである。
【００７０】
以上、この実施形態に係る情報発信システム１０によれば、情報発信装置１００が近距離無線通信部１６に搭載した単方向通信であるＢＬＥのビーコン機能により、双方向通信開始のためのペアリング情報を発信するようにしている。そして、携帯端末２００は、発信されたペアリング情報の受信に応じて、ペアリング要求信号を送信して、それに基づき機器間（情報発信装置１００と携帯端末２００間）でペアリングを自動で行う。
【００７１】
これにより、情報発信装置１００のビーコンモジュールの発信機能によりBluetoothによる双方向通信を開始することができる。このため、ペアリング後は、機器間でBluetoothによる双方向通信を行って、例えば、携帯端末２００（スマートフォン）からの問い合わせに応じて情報発信装置１００（サイネージ装置）から画像や音楽などのデータ送信を行うことができる。
【００７２】
また、この実施形態によれば、情報発信装置１００の生成部１１１は、ペアリング情報を、データ構造の仕様に応じて複数分割（この実施形態では、３分割）して生成するようにしている。そして、生成部１１１は、複数分割して生成したペアリング情報（この実施形態では、ＭＡＣアドレス１及びＭＡＣアドレス２）を発信するようにしている。このため、データ構造の仕様に依存する形でペアリング情報送信の際のデータ容量が不足するということがない。したがって、この実施形態における情報発信装置１００によれば、双方向通信を開始するために使用するペアリング情報の情報量が、規格で定められたビーコンのデータ構造によって決まる１回で送信可能な情報量よりも多い場合でも、携帯端末２００と双方向通信を開始することができる。
【００７３】
また、携帯端末２００は、情報発信装置１００のセル範囲に入れば、すなわちＢＬＥによる電波が届けば、自動で情報発信装置１００とペアリングすることができる。このため、非接触ＩＣモジュールを利用する場合と違って、ユーザはペアリングのためにわざわざ情報発信装置１００に近付いて携帯端末２００を非接触ＩＣリーダにかざす必要がない。このため、ペアリングのカバレッジを広げることができる。したがって、意識的にユーザが情報発信装置１００に近づかなくても、情報発信装置１００（サイネージ装置）に近づいたユーザの注意を惹くことができるので、情報発信装置１００が設置された店舗への入店を促すことができる。
【００７４】
また、この実施形態においては、情報発信装置１００はＭＡＣアドレスを分割発信し、一方で、携帯端末２００はＭＡＣアドレスを分割アドレスから復元する。このように、分割・復元することで、データ構造上の制約（この実施形態では、ＭａｊｏｒとＭｉｎｏｒがそれぞれ２バイト）に依らずにＭＡＣアドレスを自動で復元することができる。
【００７５】
また、この実施形態においては、情報発信装置１００が広告情報を発信し、携帯端末２００がその広告情報に基づいて広告コンテンツを取得し端末画面に表示するようにしている。このため、広告コンテンツ（例えば、情報発信装置１００が設置してある店舗の商品クーポン情報など）を見たユーザの購買意欲を刺激して店舗に誘導することができる。さらに、ペアリング後のBluetoothの双方向通信によって端末画面にユーザの所望する情報を表示できるので、プッシュ通知により表示された広告コンテンツとの相乗効果が期待できる。
【００７６】
なお、上述した実施形態においては、双方向通信はBluetoothによる近距離無線通信であることを前提に説明したが、これに限られない。例えば、双方向通信は、ＷｉＦｉでもよい。この場合、ＷｉＦｉによる双方向通信を開始するにあたって必要な情報（例えば、ＳＳＩＤ（Service Set Indentifier）やパスワードなど）をペアリング情報として情報発信装置１００が発信し、実施形態と同様の流れで機器間のペアリングを行えばよい。ＷｉＦｉは一般的にBluetoothよりも通信範囲が広いので、ペアリングできるセル範囲をさらに広げることができる。
【００７７】
以上で実施形態１の説明を終了するが、上記実施形態は一例であり、情報発信装置１００及び携帯端末２００の具体的な構成や各処理の内容などが上記実施形態で説明したものに限られないことはもちろんである。
【００７８】
（変形例１）
上述した実施形態１では、情報発信装置１００の発信部１１２は、ペアリング情報を、ＢＬＥのビーコン機能を利用して電波で発信することを前提に説明したが、これに限られない。例えば、これに代えて、情報発信装置１００がスピーカ１３による超音波でペアリング情報を発信してもよい。この場合の情報発信装置１００の構成は、図２と同じである。以下では、超音波に係る点を中心に説明する。
【００７９】
図１０に変形例における情報発信装置１００と携帯端末２００との間のペアリングに係るシーケンスを示す。まず、情報発信装置１００の発信部１１２は、ペアリング情報（ＭＡＣアドレス）を、スピーカ１３から超音波で発信し続ける。超音波の場合、ＢＬＥ規格に準拠したデータ構造上の制約がないことから、ＭＡＣアドレス６バイトを分割することなく発信することができる。
【００８０】
ここで、携帯端末２００がセル範囲に入ったとする。すると、携帯端末２００の受信部２１１は、超音波をマイク２５で受信する。そして、携帯端末２００のペアリング要求送信部２１３は、マイク２５によるペアリング情報の受信に応じて、情報発信装置１００にペアリング要求信号を送信する。そして、上述した要領で、情報発信装置１００と携帯端末２００との間でペアリングが確立される。
【００８１】
以上、この変形例によれば、ＢＬＥの電波に代えて超音波により、上述した実施形態の効果を奏することができることに加えて、ペアリング情報等を分割・復元する必要がないので、機器間の処理負荷を軽減することができる。なお、上述した実施形態と同様、広告情報を超音波で発信してもよい。この場合、広告情報は、広告コンテンツを取得するためのＵＲＬやＩＤにすればよい。
【００８２】
なお、上述した実施形態１においては、情報発信装置１００の各機能（生成部１１１、発信部１１２、ペアリング要求受信部１１３、ペアリング部１１４）は、制御部１１の機能として説明した。つまり、制御部１１を構成するＣＰＵが各機能を実行する場合を例にとって説明したが、これに限られない。例えば、近距離無線通信部１６を構成するＢＬＥのＬＳＩ（例えば、ＬＳＩが含むＣＰＵ）により、上記各機能を実行してもよい。これによれば、情報発信装置１００のメインのＣＰＵの処理負荷を抑えつつ、各処理の実行時間を短縮することができる。
【００８３】
なお、上述した実施形態１においては、広告情報を識別するＭａｊｏｒ「３」、Ｍｉｎｏｒ「１０」が固定であることを前提に説明したが、これに限られない。例えば、広告コンテンツの更新に合わせてＭａｊｏｒ、Ｍｉｎｏｒの各値を変えてもよい。変える手法は任意だが、例えば、コンテンツ配信サーバ３００が配信する広告コンテンツの更新に合わせて、情報配信装置１００が自動でＭａｊｏｒ、Ｍｉｎｏｒの各値を更新すればよい。一方、コンテンツ配信サーバ３００は、携帯端末２００が更新した広告コンテンツを取得できるようにアプリケーション用プログラムのアップデートを勧めるアラート等を送信すればよい。
【００８４】
また、上述した実施形態１及び変形例においては、携帯端末２００が一台である場合を例にとって説明したが、これに限られない。実際は、情報発信装置１００は、近辺をすれ違う複数の携帯端末（スマートフォン）との間でペアリングを自動で行う。
【００８５】
また、上述した実施形態１及び変形例においては、情報発信装置１００はサイネージ装置であることを前提に説明したが、これに限られない。ビーコン機能を利用した発信機能とBluetoothによる双方向通信機能を備えている限りどのような装置（例えば、ＰＣ（Personal Computer）など）であってもよい。また、携帯端末２００もスマートフォンに限られず、可搬型でBluetoothによる通信機能を備えていればよく、例えば、タブレット端末、携帯電話、ノートＰＣなどでもよい。
【００８６】
（実施形態２）
実施形態１では、情報発信装置１００から携帯端末２００に、ＢＬＥのビーコン機能を利用してコンテンツ配信サーバ３００へのアクセス情報を通知し、携帯端末２００がコンテンツ配信サーバ３００から広告コンテンツを取得する場合について説明した。実施形態２では、情報発信装置１００ｂが、無線ＬＡＮのアクセスポイント機能を有し、情報発信装置１００ｂを介して、携帯端末２００ｂがコンテンツ配信サーバ３００（３００ａ、・・・・、３００ｎ）から種々のコンテンツを取得する場合について説明する。
【００８７】
情報発信装置１００ｂは、携帯端末２００ｂと情報発信装置１００ｂとが無線ＬＡＮで通信をするために必要なペアリング情報（通信開始情報）を、図１１に示すBluetoothを用いて携帯端末２００ｂに通知する。ペアリング情報は、アクセスを許可するパスワード等の無線ＬＡＮで通信を開始するために使用する情報である。このパスワードは、携帯端末２００ｂと情報発信装置１００ｂとで共有する非公開な暗号鍵で暗号化されている。携帯端末２００ｂは、情報発信装置１００ｂから受信したペアリング情報を情報発信装置１００ｂに送信することにより、情報発信装置１００ｂの有する無線ＬＡＮアクセスポイント機能を利用することを許可され、情報発信装置１００ｂと携帯端末２００ｂ間の無線ＬＡＮ通信回線が接続確立される。
【００８８】
無線ＬＡＮ通信回線が接続確立されると、携帯端末２００ｂは、ユーザが指定したコンテンツ配信サーバ３００のアドレス情報を情報発信装置１００ｂに送信し、情報発信装置１００ｂ、インターネット網５００を介して、該当するコンテンツ配信サーバ３００からコンテンツを取得する。このように情報発信装置１００ｂは、無線ＬＡＮアクセスポイントとして機能する。
【００８９】
次に、図１２を参照しながら、情報発信装置１００ｂの構成について説明する。なお、実施形態１と重複する部分の説明は省略する。
【００９０】
図１２に示すように、情報発信装置１００ｂは、制御部１１ｂ、表示部１２、スピーカ１３、操作部１４、記憶部１５、近距離無線通信部１６ｂ、無線通信部１７ｂ、ネットワーク通信部１８、マイク１９を備える。
【００９１】
制御部１１ｂは、生成部１１１ｂ、発信部１１２ｂ、ペアリング要求受信部１１３ｂ、ペアリング部１１４ｂを備える。
【００９２】
生成部１１１ｂは、広告情報とペアリング情報とを生成する。広告情報は、サイネージ装置として機能する情報発信装置１００ｂの表示部１２に表示されている広告情報と表示中の広告情報に関連するコンテンツが格納されているコンテンツ配信サーバ３００にアクセスするための情報を含む。ペアリング情報は、携帯端末２００ｂが情報発信装置１００ｂの無線ＬＡＮアクセスポイント機能を利用するために使用する情報を含む。
【００９３】
生成部１１１ｂは、近距離無線通信部１６ｂを用いた無線通信の１パケットあたりの通信容量が送信したいペアリング情報の情報量に対して少ない場合、ペアリング情報を複数のパケットに分割して送信できるようにデータを生成する。この時、データ種別、分割数、分割したデータの何番目のデータであるかを示す情報等も送信できるようにしてもよい。
【００９４】
広告情報を１パケットで送信し、ペアリング情報を３パケットに分割して送信する場合を、図１３に例示する。生成部１１１ｂは、広告情報やペアリング情報を１パケットで送信できない場合は、更に複数のパケットに分割して送信できるように送信データを生成する。また、生成部１１１ｂは、広告情報の送信を省略することもある。
【００９５】
発信部１１２ｂは、生成部１１１ｂが生成したペアリング情報を近距離無線通信部１６ｂに供給し、携帯端末２００ｂへ送信させる。
【００９６】
ペアリング要求受信部１１３ｂは、携帯端末２００ｂが送信する無線ＬＡＮアクセスポイント機能への接続要求信号に含まれるペアリング情報を無線通信部１７ｂを介して受信する。具体的には、ペアリング要求受信部１１３ｂは、自装置のＭＡＣアドレス、自装置の無線ＬＡＮアクセスポイント機能へアクセスすることを許容するパスワード、携帯端末２００ｂのＭＡＣアドレス等を取得する。ペアリング要求受信部１１３ｂは、携帯端末２００ｂから送信される通信開始要求信号を受信する受信手段を構成する。
【００９７】
ペアリング部１１４ｂは、ペアリング要求受信部１１３ｂが受信したペアリング情報に応じて、携帯端末２００ｂとの無線ＬＡＮ通信回線を接続確立する。具体的には、ペアリング部１１４ｂは、受信したＭＡＣアドレスが自装置のＭＡＣアドレスであり、受信したパスワードが許容したパスワードである場合に、無線ＬＡＮ通信回線を接続確立する。ペアリング部１１４ｂは、無線ＬＡＮ通信回線を接続確立する際に、必要に応じて認証番号による相互認証を行う。また、ペアリング部１１４ｂは、情報発信装置１００ｂが無線ＬＡＮアクセスポイントとして機能するために、無線通信部１７ｂとネットワーク通信部１８間のデータ転送を行う。ペアリング部１１４ｂは、携帯端末２００ｂとの間で通信を開始する通信開始手段を構成する。
【００９８】
近距離無線通信部１６ｂは、Bluetoothの無線通信モジュールを備え、コンテンツが格納されているサーバのアドレス情報とペアリング情報とを携帯端末２００ｂに送信する。ここでは、これらの情報をＢＬＥのビーコン機能を利用して送信する。近距離無線通信部１６ｂは、生成手段が複数分割して生成した通信開始情報を発信する発信手段を構成する。
【００９９】
無線通信部１７ｂは、無線ＬＡＮ通信モジュールを備え、携帯端末２００ｂと無線ＬＡＮで通信する機能を有する。
【０１００】
ネットワーク通信部１８は、光通信モジュール、高速無線通信モジュール等を備え、インターネット網を介してコンテンツ配信サーバ３００と高速通信する。
【０１０１】
次に、携帯端末２００ｂの構成について、図１４を参照しながら説明する。なお、実施形態１と重複する部分の説明は省略する。
【０１０２】
図１４に示すように、携帯端末２００ｂは、制御部２１ｂ、表示部２２、操作部２３、記憶部２４、マイク２５、近距離無線通信部２６ｂ、無線通信部２７ｂを備える。制御部２１ｂは、受信部２１１ｂ、コンテンツ取得部２１２ｂ、ペアリング要求送信部２１３ｂを備える。
【０１０３】
制御部２１ｂは、情報発信装置１００ｂと携帯端末２００ｂとの通信等の携帯端末２００ｂの全機能を制御する。また、制御部２１ｂは、ペアリング要求送信部２１３ｂから無線ＬＡＮ接続確立通知を受けると、ユーザに対して接続先のコンテンツ配信サーバ３００のアドレス指定を促すように表示部２２に表示する。
【０１０４】
受信部２１１ｂは、情報発信装置１００ｂの近距離無線通信部１６ｂから送信された広告情報及びペアリング情報を近距離無線通信部２６ｂを介して受信する。受信部２１１ｂは、ペアリング情報が複数のパケットに分割されて送信されている場合は、分割して送信されたペアリング情報を復元し、携帯端末２００ｂと情報発信装置１００ｂとで共有する非公開な暗号鍵を用いて復号し、パスワード等を取得する。受信部２１１ｂは、情報発信装置１００ｂが発信した通信開始情報を受信する通信開始情報受信手段を構成する。
【０１０５】
ペアリング要求送信部２１３ｂは、受信部２１１ｂが取得したパスワード等を無線通信部２７ｂから情報発信装置１００ｂに送信する。ペアリング要求送信部２１３ｂは、通信開始情報に基づいて、情報発信装置１００ｂと自装置（携帯端末２００ｂ）との無線ＬＡＮ通信を確立する通信開始要求手段を構成する。
【０１０６】
コンテンツ取得部２１２ｂは、ユーザが指定したコンテンツ配信サーバ３００のアドレス情報を無線通信部２７ｂを介して情報発信装置１００ｂに通知する。また、コンテンツ取得部２１２ｂは、該当するコンテンツ配信サーバ３００との通信回線が接続確立されると、情報発信装置１００ｂを無線ＬＡＮアクセスポイントとして利用して、無線通信部２７ｂを介してコンテンツ配信サーバ３００からコンテンツを取得する。
【０１０７】
近距離無線通信部２６ｂは、Bluetoothの無線通信モジュールを備え、情報発信装置１００ｂが送信する広告情報及びペアリング情報を受信する。
【０１０８】
無線通信部２７ｂは、無線ＬＡＮ通信モジュールを備え、情報発信装置１００ｂと無線ＬＡＮで通信する。また、無線通信部２７ｂは、情報発信装置１００ｂとの無線ＬＡＮ通信回線が接続確立されたことを制御部２１ｂに通知する。
【０１０９】
次に、情報発信装置１００ｂによるペアリング情報の送信処理について、図１５を参照しながら説明する。このペアリング情報の送信処理は、情報発信装置１００ｂに電源が投入され、搭載されている本システムのアプリケーション用プログラムが起動されることにより開始される。
【０１１０】
アプリケーション用プログラムが起動されること、生成部１１１ｂは、予め記憶部１５に記憶されているペアリング情報（パスワード等）をＲＡＭに読み出す。そして、生成部１１１ｂは、近距離無線通信１６ｂの送信パケットのサイズに応じて、複数のパケットに分けて送信できるように、ペアリング情報を分割する（ステップＳ４０１）。このとき、生成部１１１ｂは、必要に応じて送信データを暗号化する。
【０１１１】
次に、生成部１１１ｂは、送信する広告情報の設定を行う（ステップＳ４０２）。生成部１１１ｂは、例えば、情報発信装置１００ｂの表示部１２に表示されている広告情報と表示中の広告情報に関連するコンテンツが格納されているコンテンツ配信サーバ３００へのアクセス情報を広告情報として送信するように設定する。
【０１１２】
生成部１１１ｂが広告情報の設定を完了すると、発信部１１２ｂは、近距離無線通信部１６ｂを制御して、設定された広告情報の送信を行う（ステップＳ４０３）。
【０１１３】
発信部１１２ｂは、広告情報の送信を完了すると、次に分割したペアリング情報の最初の１パケットを送信する。図１３に示す例では、ペアリング情報は３つに分割されているので、最初のペアリング情報１を送信する（ステップＳ４０４）。
【０１１４】
発信部１１２ｂは、分割したペアリング情報を全て送信したか否かを判別し（ステップＳ４０５）、全てのペアリング情報を送信完了するまで継続して送信する（ステップＳ４０５：Ｎｏ、ステップＳ４０４）。図１３に示すパケット構成の場合では、ペアリング情報３の送信を完了するまで継続して送信する。一方、全てのペアリング情報の送信を完了した場合（ステップＳ４０５：Ｙｅｓ）、ステップＳ４０２に戻って、広告情報とペアリング情報の送信を繰り返す。以上で、ペアリング情報の送信処理の説明を終える。
【０１１５】
次に、情報発信装置１００ｂと携帯端末２００ｂとの無線ＬＡＮ接続処理について、図１６を参照しながら説明する。
【０１１６】
携帯端末２００ｂは、情報発信装置１００ｂから送信された信号を受信するまで受信を継続する（ステップＳ５０１：Ｎｏ）。携帯端末２００ｂが、近距離無線通信部２６ｂのセル範囲内に移動して、情報発信装置１００ｂから送信された信号を受信すると（ステップＳ５０１：Ｙｅｓ）、受信部２１１ｂは、受信情報に広告情報が含まれているか否かを判別する（ステップＳ５０２）。受信情報に広告情報が含まれている場合は（ステップＳ５０２：Ｙｅｓ）、受信部２１１ｂは、受信情報に含まれる広告情報（コンテンツ配信サーバ３００への接続情報等）を取得する（ステップＳ５０３）。携帯端末２００ｂは、取得した広告情報を表示部２２に表示することもできる。
【０１１７】
受信部２１１ｂは、広告情報の取得が終わると、受信情報にペアリング情報が含まれているか否かを判別する（ステップＳ５０４）。また、ステップＳ５０２において、受信情報に広告情報が含まれていない場合（ステップＳ５０２：Ｎｏ）もステップＳ５０４に移行する。
【０１１８】
受信情報にペアリング情報が含まれていない場合（ステップＳ５０４：Ｎｏ）、受信部２１１ｂは、ステップＳ５０１に戻って、情報発信装置１００ｂからの信号受信を継続する。一方、受信情報にペアリング情報が含まれている場合は（ステップＳ５０４：Ｙｅｓ）、受信部２１１ｂは、分割されたペアリング情報の全てを受信したか否かを判別する（ステップＳ５０５）。例えば、情報発信装置１００ｂが、ペアリング情報の分割数と、送信したパケットが分割した何番目のパケットであるかの情報と、をペアリング情報に含めて送信することにより、携帯端末２００ｂは、全てのペアリング情報を受信したか否かを判別できる。また、実施形態１のように、分割数が固定の場合にも容易に判別できる。
【０１１９】
全てのペアリング情報を受信していない場合は（ステップＳ５０５：Ｎｏ）、ステップＳ５０１に戻って、受信部２１１ｂは、情報発信装置１００ｂからの信号受信を継続する。一方、全てのペアリング情報を受信完了した場合（ステップＳ５０５：Ｙｅｓ）、分割して受信したペアリング情報を結合して、分割前のペアリング情報に復元する（ステップＳ５０６）。
【０１２０】
次に、ペアリング要求送信部２１３ｂは、復元したペアリング情報を無線通信部２７ｂを介して情報発信装置１００ｂに送信し、無線ＬＡＮ接続要求（ペアリング要求）を行う（ステップＳ５０７）。携帯端末２００ｂが送信するペアリング情報は、該当する情報発信装置１００ｂのＭＡＣアドレス、自装置のＭＡＣアドレス、パスワード等を含む。
【０１２１】
情報発信装置１００ｂは、携帯端末２００ｂから受信したＭＡＣアドレスが自装置のＭＡＣアドレスであり、受信したパスワードが自装置から送信したパスワードと一致する場合は、その携帯端末２００ｂとの無線ＬＡＮ接続を許可し、無線ＬＡＮ通信回線の接続確立を完了する（ステップＳ５０８）。
【０１２２】
次に、携帯端末２００ｂによるコンテンツ取得処理について、図１７を参照しながら説明する。
【０１２３】
情報発信装置１００ｂと携帯端末２００ｂ間の無線ＬＡＮ通信回線の接続確立が完了すると、携帯端末２００ｂの制御部２１ｂは、接続先のコンテンツ配信サーバ３００を指定するための画面を表示部２２に表示する（ステップＳ６０１）。具体的には、制御部２１ｂは、情報発信装置１００ｂから送信された広告用のコンテンツ配信サーバ３００ａ、音楽や動画等を配信する一般コンテンツ配信サーバ３００ｎ等の指定をユーザに促す画面表示を行う。例えば、ユーザは、広告の詳細情報を取得したい場合は、情報発信装置１００ｂから送信された広告用コンテンツ配信サーバ３００のアクセス情報を指定する。又、ユーザは、その他一般のコンテンツ配信サーバ３００から情報を取得したい場合は、該当するコンテンツ配信サーバ３００のアクセス情報を入力する。
【０１２４】
コンテンツ取得部２１２ｂは、ユーザによる接続先のコンテンツ配信サーバ３００の指定を受け付けると（ステップＳ６０２）、指定されたコンテンツ配信サーバ３００のアクセス情報と接続要求とを無線通信部２７ｂを介して情報発信装置１００ｂへ送信する（ステップＳ６０３）。ユーザが、情報発信装置１００ｂから送信された広告情報に含まれる広告の詳細情報を記載したコンテンツ配信サーバ３００のアクセス情報を入力した場合は、コンテンツ取得部２１２ｂは、そのコンテンツ配信サーバ３００へのアクセス情報を無線通信部２７ｂを介して送信する。また、ユーザが、音楽や動画を配信する一般のコンテンツ配信サーバ３００へのアクセス情報を入力した場合は、コンテンツ取得部２１２ｂは、該当するコンテンツ配信サーバ３００へのアクセス情報を送信する。
【０１２５】
接続先のコンテンツ配信サーバ３００へのアクセス情報を受信した情報発信装置１００ｂは、ネットワーク通信部１８を介して、該当するコンテンツ配信サーバ３００に接続要求を転送する（ステップＳ６０４）。コンテンツ配信サーバ３００は、アクセスを許容する場合は、情報発信装置１００ｂに接続許可応答を送信する（ステップＳ６０５）。ペアリング部１１４ｂは、コンテンツ配信サーバ３００と情報発信装置１００ｂ間の通信が確立すると、コンテンツ配信サーバ３００から該当するコンテンツをネットワーク通信部１８を介してダウンロードする（ステップＳ６０６）。ペアリング部１１４ｂは、ダウンロードしたコンテンツを無線通信部１７ｂを介して携帯端末２００ｂに無線ＬＡＮで送信するように制御する（ステップＳ６０７）。以上の処理により、情報発信装置１００ｂは、携帯端末２００ｂの無線ＬＡＮアクセスポイントとして機能する。
【０１２６】
次に、携帯端末２００ｂが情報発信装置１００ｂを無線ＬＡＮアクセスポイントとして利用して、コンテンツ配信サーバ３００からコンテンツを取得するシーケンスの概略について、図１８を参照しながら説明する。
【０１２７】
情報発信装置１００ｂは、近距離無線通信部１６ｂから周囲の携帯端末２００ｂに対して、広告情報とペアリング情報とを繰り返し送信する。図１８に示す例では、広告情報を１パケットで送信し、その後ペアリング情報を３パケットに分割して送信している。
【０１２８】
ペアリング情報を受信した携帯端末２００ｂは、パスワード等を含むペアリング情報と、無線ＬＡＮ接続要求信号を情報発信装置１００ｂに送信する。
【０１２９】
携帯端末２００ｂから無線ＬＡＮ接続要求信号（ペアリング要求信号）を受信した情報発信装置１００ｂは、該当する携帯端末２００ｂに、無線ＬＡＮ接続応答を返信する。具体的には、パスワードがあっている場合は、接続許可応答を返信し、パスワードがあっていない場合は、接続拒否応答を返信する。また、自装置のＭＡＣアドレスが指定されていない場合は接続応答を返さない。情報発信装置１００ｂが無線ＬＡＮ接続許可応答を返信すると、情報発信装置１００ｂと携帯端末２００ｂとの間で、無線ＬＡＮ通信回線が接続確立される。
【０１３０】
無線ＬＡＮ通信回線が接続確立されると、携帯端末２００ｂは、アクセスしたいコンテンツ配信サーバ３００のアドレス情報とコンテンツ配信サーバ３００への接続要求とを情報発信装置１００ｂに送信する。コンテンツ配信サーバ３００へのアクセスパスワードが必要な場合は、パスワードも送信する。情報発信装置１００ｂが該当するアドレスのコンテンツ配信サーバ３００にアクセスし、コンテンツ配信サーバ３００から接続許可応答が返信されることより、情報発信装置１００ｂを介した携帯端末２００ｂとコンテンツ配信サーバ３００との通信回線が接続確立される。そして、情報発信装置１００ｂは、コンテンツ配信サーバ３００からコンテンツをダウンロードし、そのコンテンツを携帯端末２００ｂに転送する。以上のシーケンスを実行することにより、情報発信装置１００ｂは、無線ＬＡＮアクセスポイントとして機能する。
【０１３１】
なお、情報発信装置１００ｂは、上記のダウンロード処理を行う場合においても、定期的にペアリング情報の送信を継続する。情報発信装置１００ｂが複数の携帯端末２００ｂの無線ＬＡＮアクセスポイントとして機能するためである。
【０１３２】
以上に説明したように、実施形態２に係る情報発信装置１００ｂは、無線ＬＡＮアクセスポイントとして機能する。ペアリング情報を送信時は通信容量が小さい近距離無線通信部１６ｂで通信を行い、コンテンツのダウンロード時は通信容量の大きい無線通信部１７ｂに切り替えて通信する。これにより、情報量の多いコンテンツを高速でダウンロードできるようになる。また、ペアリング情報を無線ＬＡＮとは異なる近距離無線通信でプッシュ通信することにより、無線ＬＡＮ通信回線の通信容量（パケット数）を削減でき、無線ＬＡＮを用いたダウンロードのスループットを向上することができる。
【０１３３】
例えば、情報発信装置１００ｂがサイネージ装置である場合、この高速ダウンロード機能を利用することにより、ユーザは瞬時に大規模データである動画を含むイベント等の詳細情報を手元の携帯端末２００ｂで確認できるようになる。あるいは、クーポン情報を確認することができる。これにより、ユーザの購買意欲がさらに刺激され、サイネージ効果を高めることができる。
【０１３４】
また、情報発信装置１００ｂの近距離無線通信部１６ｂから携帯端末２００ｂに、情報発信装置１００ｂの無線ＬＡＮアクセスポイント機能にアクセスするために使用するペアリング情報を送信する。携帯端末２００ｂが、そのペアリング情報を情報発信装置１００ｂに送信することにより、情報発信装置１００ｂと携帯端末２００ｂ間の無線ＬＡＮの通信回線を自動的に接続する。このように、無線ＬＡＮ接続時に、ユーザがペアリング情報を設定する必要がなく、便利である。
【０１３５】
また、通信事業者が運営する一般の無線ＬＡＮアクセスポイント４００を使用せずに無線ＬＡＮを利用できるので、通信事業者との契約で定められた通信容量を気にせずに無線ＬＡＮを使用することができ、便利である。
【０１３６】
また、情報発信装置１００ｂの無線ＬＡＮ機能にアクセスできる携帯端末は、情報発信装置１００ｂに係るアプリケーション用プログラムをダウンロードしている携帯端末２００ｂに限定される。したがって、情報発信装置１００ｂの無線ＬＡＮ機能へのアクセス頻度は、セル内に存在する全ての携帯端末からアクセスされる一般の無線ＬＡＮアクセスポイント４００へのアクセス頻度よりも低くなる。これにより、１人あたりの無線ＬＡＮのスループットを高い状態で維持しやすくなる。つまり、一般の無線ＬＡＮアクセスポイント４００には、そのセル内に存在する大量の携帯端末がアクセスする可能性がある。１人あたりのスループットは、システム全体のスループットをアクセス人数で割った値となるので、１台の無線ＬＡＮアクセスポイントにアクセスする携帯端末の台数が多いほど、１人あたりのスループットは低下することになる。したがって、人口密集エリアでは、一般の無線ＬＡＮアクセスポイントを利用すると、高いスループットで通信を継続することが困難になりやすい。一方、情報発信装置１００ｂのアプリケーション用プログラムをインストールしている携帯端末は、そのエリアに存在する携帯端末の一部にすぎない。したがって、情報発信装置１００ｂを無線ＬＡＮアクセスポイントとして利用すると、一般の無線ＬＡＮアクセスポイント４００を利用する場合と比べて、高い通信スループットを期待することができる。
【０１３７】
また、情報発信装置１００ｂがサイネージ装置である場合、近距離無線通信部１６ｂの通信距離を、サイネージ装置の表示部１２に表示した広告をユーザが視認可能な距離（例えば数十メートル以内）に設定する。このように設定することにより、情報発信装置１００ｂによる無線ＬＡＮアクセスポイントのセルをセル範囲の狭いマイクロセルとすることができる。情報発信装置１００ｂの無線ＬＡＮアクセスポイント機能を利用できるのは、近距離無線通信部１６ｂと通信可能な携帯端末２００ｂのみである。したがって、セル範囲内の使用者人数を限定でき、１人あたりの通信スループットを高い状態で維持しやすくなる。
【０１３８】
このように、高いスループットで、無線ＬＡＮサービスを享受できるので、情報発信装置１００ｂに係るアプリケーション用プログラムを利用するユーザは増加しやすい。これにより、情報発信装置１００ｂのサイネージ効果も高まり、情報発信装置１００ｂの普及を加速しやすくなる。
【０１３９】
なお、以上の説明では、近距離無線通信として、Bluetoothを例にして説明した。しかし、近距離無線通信をBluetoothに限定する必要はない。近距離無線通信として、ＵＷＢ（Ultra Wide Band）、Gigbee、特定省電力無線、ＲＦＩＤ（Radio Frequency Identifier）、赤外線通信、超音波を利用した通信等を使用しても良い。超音波を利用した通信では、スピーカが送信器として機能し、マイクが受信機として機能する。
【０１４０】
また、上記の説明では、情報発信装置１００ｂと携帯端末２００ｂ間の高速無線通信として無線ＬＡＮを例に説明したが、４Ｇ等の他の無線通信でも良い。
【０１４１】
また、実施形態２の説明では、Bluetoothを利用してペアリング情報を送信する場合について説明したが、これに限定する必要はない。このペアリング情報は、不特定多数の携帯端末２００ｂに対してプッシュ通信されるようにすれば良い。近距離無線通信としてＲＦＩＤを利用する場合は、携帯端末２００ｂをＲＦＩＤのライター装置に近づけることにより、携帯端末２００ｂがペアリング情報を取得するようにする。
【０１４２】
また、本発明に係る情報発信装置１００、１００ｂは、専用の装置によらず、通常のコンピュータを用いて実現可能である。例えば、コンピュータがプログラムを実行することで、情報発信装置１００、１００ｂを実現してもよい。情報発信装置１００、１００ｂの機能を実現するためのプログラムは、ＵＳＢ（Universal Serial Bus）メモリ、ＣＤ−ＲＯＭ（Compact Disc Read Only Memory）、ＤＶＤ（Digital Video Disc）、ＨＤＤ等のコンピュータ読み取り可能な記録媒体に記憶されてもよいし、ネットワークを介してコンピュータにダウンロードされてもよい。
【０１４３】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【０１４４】
（付記１）
携帯端末と自装置との間で双方向通信を開始するための通信開始情報を、データ構造の仕様に応じて複数分割して生成する生成手段と、
前記生成手段が複数分割して生成した前記通信開始情報を発信する発信手段と、
前記発信手段が発信した前記通信開始情報に応じて、前記携帯端末から送信される通信開始要求信号を受信する受信手段と、
前記受信手段が受信した前記通信開始要求信号と自装置から送信した前記通信開始情報とが対応する場合に、前記携帯端末との間で通信を開始する通信開始手段と、
を備えたことを特徴とする情報発信装置。
【０１４５】
（付記２）
前記生成手段は、前記通信開始情報として、自装置を一意に識別するアドレスを、前記データ構造の仕様に応じて複数分割して生成する、
ことを特徴とする付記１に記載の情報発信装置。
【０１４６】
（付記３）
前記生成手段は、前記通信開始情報に加えて、広告コンテンツを取得するための広告情報を生成し、
前記発信手段は、前記通信開始情報と、前記広告情報と、を発信する、
ことを特徴とする付記１又は２に記載の情報発信装置。
【０１４７】
（付記４）
前記発信手段は、前記通信開始情報を、Bluetooth（登録商標）Low Energyによる電波又はスピーカによる超音波により発信する、
ことを特徴とする付記１乃至３の何れか一つに記載の情報発信装置。
【０１４８】
（付記５）
前記通信開始手段は、前記通信開始要求信号に対する応答として、相互認証用の認証番号を含む通信開始応答信号を前記携帯端末に送信し、該携帯端末との間で該認証番号による相互認証を行って通信を開始する、
ことを特徴とする付記１乃至４の何れか一つに記載の情報発信装置。
【０１４９】
（付記６）
Bluetoothによる近距離無線通信又は無線ＬＡＮによる無線通信を行う無線通信手段を備え、
前記通信開始手段は、前記無線通信手段を制御して、前記携帯端末と双方向通信を開始する、
ことを特徴とする付記１乃至５の何れか一つに記載の情報発信装置。
【０１５０】
（付記７）
前記携帯端末から受信した、前記通信開始情報に含まれるコンテンツが格納されているサーバのアドレス情報に基づいて、前記サーバからコンテンツを取得するネットワーク通信手段を備え、
前記通信開始手段は、前記無線通信手段を制御して、前記ネットワーク通信手段が前記サーバから取得したコンテンツを、前記携帯端末に転送させる、
ことを特徴とする付記６に記載の情報発信装置。
【０１５１】
（付記８）
前記発信手段は、前記無線通信手段の通信容量よりも小さい通信容量の通信モジュールで構成される、
ことを特徴とする付記６又は７に記載の情報発信装置。
【０１５２】
（付記９）
前記発信手段は、前記無線通信手段の通信距離よりも通信距離が近距離である通信モジュールで構成される、
ことを特徴とする付記６又は７に記載の情報発信装置。
【０１５３】
（付記１０）
前記情報発信装置は、表示手段に広告コンテンツを出力するサイネージ装置である、
ことを特徴とする付記１乃至９の何れか一つに記載の情報発信装置。
【０１５４】
（付記１１）
携帯端末と無線ＬＡＮで通信する機能を有する無線通信手段と、
前記携帯端末が前記無線通信手段との通信を開始するための通信開始情報と、コンテンツが格納されているサーバのアドレス情報と、を前記携帯端末に送信する発信手段と、
前記発信手段が発信した前記通信開始情報に応じて、前記携帯端末から送信される通信開始要求信号を受信する受信手段と、
前記受信手段が受信した前記通信開始要求信号と自装置から送信した前記通信開始情報とが対応する場合に、前記携帯端末との間で通信を開始する通信開始手段と、
コンテンツが格納されているサーバからコンテンツを取得するネットワーク通信手段と、
を備え、
前記通信開始手段は、前記無線通信手段を制御して、前記ネットワーク通信手段が前記サーバから取得したコンテンツを、前記携帯端末に転送させる、
ことを特徴とする情報発信装置。
【０１５５】
（付記１２）
携帯端末との間で双方向通信を開始するための通信開始情報を、データ構造の仕様に応じて複数分割して生成する生成ステップと、
前記生成ステップにおいて複数分割して生成した前記通信開始情報を発信する発信ステップと、
前記発信ステップにおいて発信した前記通信開始情報に応じて、前記携帯端末から送信される通信開始要求信号を受信する受信ステップと、
前記受信ステップで受信した前記通信開始要求信号と自装置から送信した前記通信開始情報とが対応する場合に、前記携帯端末との間で通信を開始する通信開始ステップと、
を含む情報発信方法。
【０１５６】
（付記１３）
携帯端末と自装置との無線ＬＡＮ通信を開始するための通信開始情報と、コンテンツが格納されているサーバのアドレス情報と、を送信する送信ステップと、
前記携帯端末から送信される自装置が送信した前記通信開始情報を含む通信開始要求信号を受信する受信ステップと、
前記携帯端末と自装置との無線ＬＡＮ通信の接続を許可する接続許可ステップと、
前記携帯端末からコンテンツが格納されているサーバのアドレス情報を受信するサーバ接続要求受信ステップと、
前記サーバにアクセスしてコンテンツを取得する取得ステップと、
取得した前記コンテンツを、前記通信開始情報を送信した前記携帯端末に無線ＬＡＮで送信する転送ステップと、
を含む情報発信方法。
【０１５７】
（付記１４）
コンピュータを、
携帯端末との間で双方向通信を開始するための通信開始情報を、データ構造の仕様に応じて複数分割して生成する生成手段、
前記生成手段が複数分割して生成した前記通信開始情報を発信する発信手段、
前記発信手段が発信した前記通信開始情報に応じて、前記携帯端末から送信される通信開始要求信号を受信する受信手段、
前記受信手段が受信した前記通信開始要求信号と自装置から送信した前記通信開始情報とが対応する場合に、前記携帯端末との間で通信を開始する通信開始手段、
として機能させるためのプログラム。
【０１５８】
（付記１５）
情報発信装置が発信した、データ構造の仕様に応じて複数分割された該情報発信装置との間で双方向通信を開始するための通信開始情報を受信する通信開始情報受信手段と、
前記通信開始情報受信手段が前記通信開始情報を受信したことに応じて、前記情報発信装置に通信開始要求信号を送信する送信手段と、
を備えたことを特徴とする携帯端末。
【０１５９】
（付記１６）
情報発信装置と自装置とを無線ＬＡＮで通信する機能を有する無線通信手段と、
前記情報発信装置との無線ＬＡＮ通信を開始するための通信開始情報を前記情報発信装置から取得する通信開始情報受信手段と、
前記通信開始情報に基づいて、前記情報発信装置と自装置との無線ＬＡＮ通信を確立する通信開始要求手段と、
前記無線通信手段を制御し、前記情報発信装置を介して、コンテンツが格納されているサーバからコンテンツを取得するコンテンツ取得手段と、
を備える携帯端末。
【０１６０】
また、以下に、基礎出願の出願当初の特許請求の範囲に記載された発明を付記する。
【０１６１】
（付記１０１）
携帯端末と自装置との間で双方向通信を開始するためのペアリング情報を、データ構造の仕様に応じて複数分割して生成する生成手段と、
前記生成手段が複数分割して生成したペアリング情報を発信する発信手段と、
前記発信手段が発信したペアリング情報に応じて、前記携帯端末から送信されるペアリング要求信号を受信する受信手段と、
前記受信手段が受信したペアリング要求信号に応じて、前記携帯端末との間でペアリングするペアリング手段と、
を備えたことを特徴とする情報発信装置。
【０１６２】
（付記１０２）
前記生成手段は、前記ペアリング情報として、自装置を一意に識別するアドレスを、前記データ構造の仕様に応じて複数分割して生成する、
ことを特徴とする付記１０１に記載の情報発信装置。
【０１６３】
（付記１０３）
前記生成手段は、前記ペアリング情報に加えて、広告コンテンツを取得するための広告情報を生成し、
前記発信手段は、前記ペアリング情報と、前記広告情報と、を所定間隔で交互に発信する、
ことを特徴とする付記１０１又は１０２に記載の情報発信装置。
【０１６４】
（付記１０４）
前記発信手段は、前記ペアリング情報を、Bluetooth（登録商標）Low Energyによる電波又はスピーカによる超音波により発信する、
ことを特徴とする付記１０１乃至１０３の何れか一つに記載の情報発信装置。
【０１６５】
（付記１０５）
前記ペアリング手段は、前記ペアリング要求信号に対する応答として、相互認証用の認証番号を含むペアリング応答信号を前記携帯端末に送信し、該携帯端末との間で該認証番号による相互認証を行って、前記ペアリングを行う、
ことを特徴とする付記１０１乃至１０４の何れか一つに記載の情報発信装置。
【０１６６】
（付記１０６）
前記双方向通信は、Bluetoothによる近距離無線通信又はＷｉｆｉ（登録商標）による無線通信である、
ことを特徴とする付記１０１乃至１０５の何れか一つに記載の情報発信装置。
【０１６７】
（付記１０７）
前記情報発信装置は、表示手段に広告コンテンツを出力するサイネージである、
ことを特徴とする付記１０１乃至１０６の何れか一つに記載の情報発信装置。
【０１６８】
（付記１０８）
携帯端末との間で双方向通信を開始するためのペアリング情報を、データ構造の仕様に応じて複数分割して生成する生成ステップと、
前記生成ステップにおいて複数分割して生成したペアリング情報を発信する発信ステップと、
前記発信ステップにおいて発信したペアリング情報に応じて、前記携帯端末から送信されるペアリング要求信号を受信する受信ステップと、
前記受信ステップにおいて受信したペアリング要求信号に応じて、前記携帯端末との間でペアリングするペアリングステップと、
を備えた情報発信方法。
【０１６９】
（付記１０９）
コンピュータを、
携帯端末との間で双方向通信を開始するためのペアリング情報を、データ構造の仕様に応じて複数分割して生成する生成手段、
前記生成手段が複数分割して生成したペアリング情報を発信する発信手段、
前記発信手段が発信したペアリング情報に応じて、前記携帯端末から送信されるペアリング要求信号を受信する受信手段、
前記受信手段が受信したペアリング要求信号に応じて、前記携帯端末との間でペアリングするペアリング手段、
として機能させるためのプログラム。
【０１７０】
（付記１１０）
情報発信装置が発信した、データ構造の仕様に応じて複数分割された該情報発信装置との間で双方向通信を開始するためのペアリング情報を受信するペアリング情報受信手段と、
前記ペアリング情報受信手段がペアリング情報を受信したことに応じて、前記情報発信装置にペアリング要求信号を送信する送信手段と、
を備えたことを特徴とする携帯端末。
【符号の説明】
【０１７１】
１０…情報発信システム、１１、１１ｂ…制御部、１２…表示部、１３…スピーカ、１４…操作部、１５…記憶部、１６、１６ｂ…近距離無線通信部、１７、１７ｂ…無線通信部、１８…ネットワーク通信部、１９…マイク、１００、１００ｂ…情報発信装置、１１１、１１１ｂ…生成部、１１２、１１２ｂ…発信部、１１３、１１３ｂ…ペアリング要求受信部、１１４、１１４ｂ…ペアリング部、２１、２１ｂ…制御部、２２…表示部、２３…操作部、２４…記憶部、２５…マイク、２６、２６ｂ…近距離無線通信部、２７、２７ｂ…無線通信部、２００、２００ｂ…携帯端末、２１１、２１１ｂ…受信部、２１２、２１２ｂ…コンテンツ取得部、２１３、２１３ｂ…ペアリング要求送信部、３００、３００ａ〜３００ｎ…コンテンツ配信サーバ、４００…無線ＬＡＮアクセスポイント、５００…インターネット網
【図１】
2017005705.tif 000003
【図２】
2017005705.tif 000004
【図３】
2017005705.tif 000005
【図４】
2017005705.tif 000006
【図５】
2017005705.tif 000007
【図６】
2017005705.tif 000008
【図７】
2017005705.tif 000009
【図８】
2017005705.tif 000010
【図９】
2017005705.tif 000011
【図１０】
2017005705.tif 000012
【図１１】
2017005705.tif 000013
【図１２】
2017005705.tif 000014
【図１３】
2017005705.tif 000015
【図１４】
2017005705.tif 000016
【図１５】
2017005705.tif 000017
【図１６】
2017005705.tif 000018
【図１７】
2017005705.tif 000019
【図１８】
2017005705.tif 000020